(57)【要約】【課題】回収した宅内光配線コードを解体することなく、宅内光配線コードとして再利用し、資源の有効利用を促進して環境保護に貢献することができる、宅内光配線コードの再利用方法、再生された宅内光配線コード及び宅内光配線コードの供給方法を提供する。【解決手段】宅内の機器に接続される光ケーブルである宅内光配線コードであって回収された前記宅内光配線コードを、予め設定された種類毎に選別するとともに宅内光配線コードの外観の状態に応じて選別する選別工程と、選別工程をクリアした宅内光配線コードの外観を整えて清掃する清掃工程と、清掃工程をクリアした宅内光配線コードの光学的特性を検査する特性検査工程と、特性検査工程をクリアした宅内光配線コードを梱包する梱包工程と、梱包された宅内光配線コードを出荷する出荷工程と、を有する、宅内光配線コードの再利用方法。【選択図】図２
2014161765.tif 000002
【特許請求の範囲】
【請求項１】
宅内の機器に接続される光ケーブルである宅内光配線コードであって回収された前記宅内光配線コードを、予め設定された種類毎に選別するとともに前記宅内光配線コードの外観の状態に応じて選別する選別工程と、
前記選別工程をクリアした前記宅内光配線コードの外観を整えて清掃する清掃工程と、
前記清掃工程をクリアした前記宅内光配線コードの光学的特性を検査する特性検査工程と、
前記特性検査工程をクリアした前記宅内光配線コードを梱包する梱包工程と、
梱包された前記宅内光配線コードを出荷する出荷工程と、を有する、
宅内光配線コードの再利用方法。
【請求項２】
請求項１に記載された宅内光配線コードの再利用方法にて再生されて、再生されたことを示す目印が印字されている、
再生された宅内光配線コード。
【請求項３】
宅内光配線コードの需要に応じて、請求項１に記載の宅内光配線コードの再利用方法にて再生された宅内光配線コードを供給し、不足分に対しては宅内光配線コードの製造元からの新品状態の宅内光配線コードを供給し、
宅内光配線コードが不要となった設備から宅内光配線コードを回収し、
回収した宅内光配線コードを請求項１に記載の宅内光配線コードの再利用方法にて再生して再生された宅内光配線コードを前記需要に応じて供給する、
宅内光配線コードの供給方法。
【発明の詳細な説明】
【技術分野】
【０００１】
本発明は、企業内や宅内の機器に接続する光ケーブルである宅内光配線コードの再利用方法、再生された宅内光配線コード及び宅内光配線コードの供給方法に関する。
【背景技術】
【０００２】
近年では、電話やインターネット等のネットワークの光化が進み、企業内や宅内の機器は宅内光配線コードと呼ばれる光ケーブルで接続されている。
例えば企業、戸建住宅、集合住宅にて、引越し、移転、プロバイダの変更等が発生すると、それまで使用されていた光ケーブルが回収されて新たな光ケーブルが使用され、回収された光ケーブルは破棄されることが一般的であった。
【０００３】
そこで、例えば特許文献１に記載された従来技術には、廃棄処分のために回収された光ケーブルを解体して樹脂製のケーブル外被を剥ぎ取ってリサイクルする光ケーブルの解体方法及び解体装置が開示されている。
また特許文献２に記載された従来技術には、アルミラップ付き屋外光ケーブルを、順次解体分離及び粉砕して、種々の材質の部材に分離して、種々のナゲット（金属のかたまり）、アルミ、鉄、銅に分離してリサイクルする、光ケーブルのリサイクル方法が開示されている。
【先行技術文献】
【特許文献】
【０００４】
【特許文献１】特開２００５−３２６６５６号公報
【特許文献２】特開平１０−２４９３２３号公報
【発明の概要】
【発明が解決しようとする課題】
【０００５】
特許文献１及び特許文献２に記載された従来技術は、回収した光ケーブルを解体してリサイクル可能な素材を分離してリサイクルするものであるが、回収した光ケーブルを解体することなく光ケーブルとして再利用するものではない。
本発明は、このような点に鑑みて創案されたものであり、回収した宅内光配線コードを解体することなく、宅内光配線コードとして再利用し、資源の有効利用を促進して環境保護に貢献することができる、宅内光配線コードの再利用方法、再生された宅内光配線コード及び宅内光配線コードの供給方法を提供することを課題とする。
【課題を解決するための手段】
【０００６】
上記課題を解決するため、本発明に係る宅内光配線コードの再利用方法、再生された宅内光配線コード及び宅内光配線コードの供給方法は次の手段をとる。
まず、本発明の第１の発明は、宅内の機器に接続される光ケーブルである宅内光配線コードであって回収された前記宅内光配線コードを、予め設定された種類毎に選別するとともに前記宅内光配線コードの外観の状態に応じて選別する選別工程と、前記選別工程をクリアした前記宅内光配線コードの外観を整えて清掃する清掃工程と、前記清掃工程をクリアした前記宅内光配線コードの光学的特性を検査する特性検査工程と、前記特性検査工程をクリアした前記宅内光配線コードを梱包する梱包工程と、梱包された前記宅内光配線コードを出荷する出荷工程と、を有する、宅内光配線コードの再利用方法である。
【０００７】
この第１の発明によれば、適切な工程を設けて外観上及び性能上において再利用するには不適切な宅内光配線コードを除去し、再利用が可能な宅内光配線コードのみを出荷することができる。
従って、回収した宅内光配線コードを解体することなく、宅内光配線コードとして再利用することができるので、資源の有効利用を促進して環境保護に貢献することが可能であり、コストも削減できる。
【０００８】
次に、本発明の第２の発明は、上記第１の発明に係る宅内光配線コードの再利用方法にて再生されて、再生されたことを示す目印が印字されている、再生された宅内光配線コードである。
【０００９】
この第２の発明によれば、再生された宅内光配線コードに目印を印字することで、再生された宅内光配線コードと、新品状態の宅内光配線コードと、を適切に区別することが容易となる。
【００１０】
次に、本発明の第３の発明は、宅内光配線コードの需要に応じて、上記第１の発明の宅内光配線コードの再利用方法にて再生された宅内光配線コードを供給し、不足分に対しては宅内光配線コードの製造元からの新品状態の宅内光配線コードを供給し、宅内光配線コードが不要となった設備から宅内光配線コードを回収し、回収した宅内光配線コードを請求項１に記載の宅内光配線コードの再利用方法にて再生して再生された宅内光配線コードを前記需要に応じて供給する、宅内光配線コードの供給方法である。
【００１１】
この第３の発明によれば、宅内光配線コードの必要以上の製造を抑制し、資源の有効利用を促進して環境保護に貢献し、コストも削減できる宅内光配線コードの供給方法を実現することができる。
【図面の簡単な説明】
【００１２】
【図１】（Ａ）は本発明の宅内光配線コードの再利用方法を適用した場合の宅内光配線コードの流通経路を説明する図であり、（Ｂ）は従来の宅内光配線コードの流通経路を説明する図である。
【図２】宅内光配線コードの再生方法の各工程を説明する図である。
【図３】再生されて包装された宅内光配線コードの外観の例を説明する図である。
【図４】宅内光配線コードの供給方法の例を説明する図である。
【発明を実施するための形態】
【００１３】
以下に本発明を実施するための形態を図面を用いて説明する。
●［宅内光配線コードの流通経路（図１）］
図１（Ｂ）に示すように、従来の宅内光配線コードの流通経路では、製造メーカ７１にて製造された新品の宅内光配線コードは、敷設業者７２に供給されて敷設先７３（戸建住宅、集合住宅、企業等）に敷設され、引越し、移転、プロバイダの変更等が発生すると、回収業者７４にて回収され、廃棄または解体・リサイクルされている。つまり従来では、回収された宅内光配線コードが、まだ充分使用可能な状態であっても、廃棄または解体され、リサイクルされてはいるが、解体してパーツや素材を分離して再利用するものであり、使用可能な宅内光配線コードを宅内光配線コードとして再利用するものではないため、資源を充分に有効利用しているものではない。
【００１４】
図１（Ａ）に示す本発明の宅内光配線コードの再利用方法を適用した場合の宅内光配線コードの流通経路では、図１（Ｂ）に示す従来の流通経路に対して、再生業者７５が追加されており、再生業者７５からの［再生品］の宅内光配線コードが敷設業者７２に新たに供給され、使用可能な宅内光配線コードを宅内光配線コードとして再利用する点が異なり、資源を充分に有効利用できる。
図１（Ａ）に示す流通経路では、回収業者７４が回収した宅内光配線コードを再生業者７５が選別・再生し、再利用可能な宅内光配線コードを解体することなく、宅内光配線コードとして再利用する。なお、回収した宅内光配線コードは、全て再利用できる訳ではなく、再生業者７５にて適切な選別や検査等を行い、再利用不可能なものは廃棄または解体・リサイクルに回され、再利用可能なものだけが再利用される。従って、資源を充分に有効利用することが可能であり、環境保護に貢献することができる。
【００１５】
●［再生業者による宅内光配線コードを再利用するための各工程（図２）と、再生された宅内光配線コードの外観（図３）］
次に図２を用いて、図１（Ａ）の流通経路における再生業者７５による宅内光配線コードを再利用するための各工程について説明する。
ステップＳ１０は、回収業者によって回収された宅内光配線コードを受け入れる工程である。
続くステップＳ２０は、受け入れた宅内光配線コードの一次選別、二次選別を行う選別工程である。
例えば一次選別では、作業者は、回収された宅内光配線コードの外観をチェックして、一見しただけで再利用不可能と判断できるような宅内光配線コードを除外する。作業者は、明らかに大きなキズ、明らかな変色、明らかな汚れ、明らかな撚り（ねじれ）や折れ、明らかな破損、等が有る宅内光配線コードを選別して廃棄または解体へと回す。また一次選別をクリアした宅内光配線コードは、作業者によって、新旧の種類及びケーブル長さ（１．５ｍ、３ｍ、５ｍ等）毎に選別され、二次選別に回される。
例えば二次選別では、作業者は、選別された宅内光配線コードの外観を、一次選別の場合よりも詳細にチェックして、除外するべきサイズのキズ、除外するべき変色、除外するべき汚れ、除外するべき撚り（ねじれ）や折れ、除外するべき破損、コネクタの動作異常等が有る宅内光配線コードを選別して廃棄または解体へと回す。この場合の除外の判断基準は、再生業者によって適切で具体的な判断基準が設定されている。
【００１６】
続くステップＳ３０とステップＳ４０は、選別工程をクリアした宅内光配線コードの外観を整えて清掃する清掃工程である。
ステップＳ３０はケーブル清掃工程であり、作業者は、宅内光配線コードのケーブルの撚り（ねじれ）を戻してケーブルの形状を整え、ケーブルを清掃する。なお作業者は、撚り（ねじれ）を戻す際やケーブル清掃時に、再度、キズ、変色、汚れ、撚りや折れをチェックし、設定された正常判断基準を満足しないことに気付いた場合は、該当する宅内光配線コードを選別して廃棄または解体へと回す。
またケーブル清掃時には、ケーブルを破損しないように、湾曲させる場合の最小の曲率や最大の張力等が予め決められている。
またケーブルの清掃が完了した後、作業者は、コネクタまたはケーブルの所定位置に、この宅内光配線コードが再生品であることを示す目印（文字、数字、記号等）を、レーザーマーキングやスタンプ等にて印字する。
ステップＳ４０はフェルール清掃工程であり、作業者は、宅内光配線コードの両端部に設けられているコネクタ部を清掃する。なお作業者は、コネクタ清掃時に、コネクタのキズ、変色、汚れ、動作（例えばスライド動作状態）等をチェックし、設定された正常判断基準を満足しないことに気付いた場合は、該当する宅内光配線コードを選別して廃棄または解体へと回す。
なお、コネクタの清掃後に、この宅内光配線コードが再生品であることを示す目印を印字してもよい。再生した宅内光配線コードへの目印の印字は、どのタイミングで行ってもよい。
【００１７】
続くステップＳ５０とステップＳ６０は、清掃工程をクリアした宅内光配線コードの光学的特性を検査する特性検査工程である。
ステップＳ５０は光損失試験工程であり、作業者は、所定の測定装置を用いて、各宅内光配線コードの光損失値を測定し、予め設定された正常判断基準値を満足しない場合は、該当する宅内光配線コードを選別して廃棄または解体へと回す。
ステップＳ６０は光反射試験工程であり、作業者は、所定の測定装置を用いて、各宅内光配線コードの反射減衰値を測定し、予め設定された正常判断基準値を満足しない場合は、該当する宅内光配線コードを選別して廃棄または解体へと回す。
【００１８】
続くステップＳ７０は、特性検査工程をクリアした宅内光配線コードを、出荷するために梱包する梱包工程である。
作業者は、特性検査工程をクリアした宅内光配線コードのケーブル部を、所定の曲率の径となるように巻回し、添付品とともに袋詰めする。
図３は、袋１０に、再生された宅内光配線コード２０と添付品３０を梱包した状態の外観図の例を示している。なお、再生された宅内光配線コード２０のコネクタ形状や、ケーブル長さ等は、種々のものがあるが、図３に示す例は、種々の中の一例を示している。
例えば袋１０は透明なビニール袋であり、作業者は、袋を開けることなく、梱包されている宅内光配線コード２０と添付品３０を確認することができる。また再生された宅内光配線コード２０のコネクタ２１またはケーブルの所定位置には、目印２１Ａが印字されている。なお目印２１Ａの印字は、再生された宅内光配線コード２０の任意の位置（１個所または複数個所）に印字されていればよく、例えば図３の例に示す６個所の目印２１Ａの中の少なくとも１個所に印字されていればよい。
添付品３０は、例えば、本梱包品が再生された宅内光配線コードであること、及び取扱方法等が記載された説明書である。
続くステップＳ８０は、梱包された宅内光配線コードを敷設業者に出荷する出荷工程である。なお出荷の前に、抜き取り検査にて適当な梱包品をランダムに抜き取り、外観や光学的特性等を再度チェックして、正常判断基準を満足していることを確認することが好ましい。
【００１９】
●［宅内光配線コードの供給方法（図４）］
次に図４を用いて、宅内光配線コードの供給方法について説明する。
図１における製造メーカ７１は管理コンピュータ７１Ｐを保有しており、敷設業者７２は管理コンピュータ７２Ｐを保有しており、回収業者７４は管理コンピュータ７４Ｐを保有しており、再生業者７５は管理コンピュータ７５Ｐを保有している。そして管理コンピュータ７１Ｐ、７２Ｐ、７４Ｐ、７５Ｐは、いずれもインターネットＮに接続され、いずれの管理コンピュータにも、図４に示す供給計画Ｋ１０が記憶され、供給計画Ｋ１０は共有されている。
【００２０】
例えば敷設業者７２は、管理コンピュータ７２Ｐを操作して、供給計画Ｋ１０の敷設工事計画Ｋ１４の内容を更新する。敷設工事計画Ｋ１４には、プロバイダ等からの敷設工事要求に応じて、工事住所、工事日、工事量（宅内光配線コードの必要量）等が記憶されている。
また回収業者７４は、管理コンピュータ７４Ｐを操作して、供給計画Ｋ１０の回収計画Ｋ１１の内容を更新する。回収計画Ｋ１１には、回収するべき宅内光配線コードの回収日や回収量等が記憶されており、回収業者７４は、回収日や回収量の新規入力や修正等を行う。
また再生業者７５は、管理コンピュータ７５Ｐを操作して、供給計画Ｋ１０の再生計画Ｋ１２の内容を更新する。再生計画Ｋ１２には、回収業者７４からの回収品の受け入れ日や受け入れ量が、回収計画Ｋ１１に基づいて設定され、これに基づいた再生日（再生作業日）や再生量（再生された宅内光配線コードの量）が記憶されており、再生業者７５は、再生日や再生量の新規入力や修正等を行う。
また製造メーカ７１は、管理コンピュータ７１Ｐを操作して、供給計画Ｋ１０の製造計画Ｋ１３の内容を更新する。製造計画Ｋ１３には、新品の宅内光配線コードの製造日や製造量が記憶されており、製造メーカ７１は、敷設工事計画Ｋ１４と再生計画Ｋ１２に基づいて、新品の宅内光配線コードの必要な日及び必要量を把握し、新品の宅内光配線コードの製造日や製造量の新規入力や修正等を行う。
なお、更新された敷設工事計画Ｋ１４、回収計画Ｋ１１、再生計画Ｋ１２、製造計画Ｋ１３は、すべての管理コンピュータの供給計画Ｋ１０に反映される。
【００２１】
このように、宅内光配線コードの需要（敷設工事計画Ｋ１４）に応じて、再生業者からの再生された宅内光配線コードを再生計画Ｋ１２に基づいて供給し、不足分については製造メーカ（製造元に相当）からの新品状態の宅内光配線コードを製造計画Ｋ１３に基づいて供給する。
また、宅内光配線コードが不要となった設備（企業、戸建住宅、集合住宅等）からは、回収業者が回収計画Ｋ１１に基づいて回収し、回収した宅内光配線コードを再生業者が再生計画Ｋ１２に基づいて再生し、再生した宅内光配線コードを敷設業者に供給する。
【００２２】
以上、本実施の形態にて説明した宅内光配線コードの再利用方法によれば、回収した宅内光配線コードを解体することなく、宅内光配線コードとして再利用し、資源の有効利用を促進して環境保護に貢献することができる。
また再生された宅内光配線コードには、再生品であることを示す目印が印字されているので、再生品であることを容易に判断することができる。
また本実施の形態にて説明した宅内光配線コードの供給方法によれば、宅内光配線コードの製造、敷設、回収、再生、のサイクルを適切に回すことが可能であり、資源を有効利用しながらコストを削減し、必要な時期に必要な量の宅内光配線コードを、過不足なく供給することができる。
【００２３】
本発明の宅内光配線コードの再利用方法、再生された宅内光配線コード及び宅内光配線コードの供給方法は、本実施の形態で説明した外観、構成、構造、形状、方法等に限定されず、本発明の要旨を変更しない範囲で種々の変更、追加、削除が可能である。
また本実施の形態の説明では、回収業者７４から再生業者７５に、回収された宅内光配線コードが搬入される例を説明したが、回収業者７４を経由することなく敷設先７３から再生業者７５に、回収された宅内光配線コードが搬入される場合があってもよい。
また本実施の形態の説明では、製造メーカ７１、敷設業者７２、回収業者７４、再生業者７５の４つの業者が別々である例を説明したが、敷設業者７２と回収業者７４が同一の会社である等、２つ以上の業者が同一の会社であってもよい。
【符号の説明】
【００２４】
１０      袋
２０      （再生された）宅内光配線コード
２１      コネクタ
２１Ａ    目印
３０      添付品
７１      製造メーカ
７２      敷設業者
７３      敷設先
７４      回収業者
７５      再生業者
【図１】
2014161765.tif 000003
【図２】
2014161765.tif 000004
【図３】
2014161765.tif 000005
【図４】
2014161765.tif 000006